Podtech/llm-jp-corpus-v4-ja_patent huggingface dataset:
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
ロボットツールを制御するためのコントローラにおいて、
命令を記憶するメモリと、
前記命令を実行するプロセッサと、
を有し、前記プロセッサによって実行される場合に、前記命令は、前記コントローラに、
３次元空間における組織の連続運動の監視すること、
位置及び前記組織が前記３次元空間内の推定位置にある対応する時間を推定すること、
前記３次元空間における前記組織の識別された位置を、前記推定された位置に基づいて識別すること、前記識別された位置に対応する推定された時間に、前記識別された位置で前記組織に接触するように前記ロボットツールの軌道を設定すること、
を有するプロセスを実行させる、
コントローラ。
【請求項２】
前記組織が心臓であり、前記組織の連続運動が、心拍、呼吸運動、および前記組織の連続運動に応答して移動する前記ロボットによって引き起こされるフィードバック運動のうちの少なくとも１つの運動である、請求項１に記載のコントローラ。
【請求項３】
前記プロセスが、
オペレータからの入力に基づいて前記組織を決定し、実現可能な位置および前記実現可能な位置に対応する推定時間のセットから前記識別された位置および前記識別された位置に対応する前記推定時間を選択すること、
を有し、
前記監視、前記推定、前記識別および前記設定が、前記決定に基づいて自動的に実行される、請求項１に記載のコントローラ。
【請求項４】
前記プロセスが、
連続運動の所定のパターンのセットの中のパターンと前記連続運動をマッチングさせることと、
前記マッチングされたパターンに基づいて、前記位置及び対応する時間を推定することと、
前記組織が前記推定された時間に前記識別された位置にない場合、前記ロボットツールを引き抜くことと、
をさらに有する、請求項１に記載の制御装置。
【請求項５】
前記連続運動は、異なる時間に異なる方向に移動しながら、ある位置に重なる前記組織を含む律動的運動を含む、請求項１に記載のコントローラ。
【請求項６】
前記プロセスが、前記組織の前記連続運動を監視するために、前記組織を含む一連の画像を取得することをさらに有し、前記画像は３次元画像である、請求項１に記載のコントローラ。
【請求項７】
命令を記憶するメモリと、
前記命令を実行するプロセッサと、
を有する、ロボットツールを制御するためのシステムにおいて、
前記プロセッサによって実行される場合に、前記命令は、前記システムに、
３次元空間における組織の連続運動を監視することと、
位置及び前記組織が前記３次元空間内の推定位置にある対応する時間を推定することと、
前記推定された位置に基づいて前記３次元空間内の前記組織の識別された位置を識別することと、
前記識別された位置に対応する前記推定時間に前記識別された位置で前記組織に接触するように前記ロボットツールの軌道を設定することと、
を有するプロセスを実行させる、システム。
【請求項８】
前記プロセスが、
前記組織の前記連続運動を監視するために前記組織を含む一連の画像を取得すること、
をさらに有し、
前記画像は３次元画像である、
請求項７に記載のシステム。
【請求項９】
ロボットツールを制御するための方法において、
３次元空間における組織の連続運動を監視するステップと、
有形かつ非一時的なプロセッサによって、位置及び前記組織が前記３次元空間内の推定された位置にある対応する時間を推定するステップと、
前記推定された位置及びロボットツールの少なくとも１つの特性に基づいて、前記３次元空間内の前記組織の識別された位置を識別するステップと、
前記ロボットツールの軌道を、前記識別された位置に対応する推定された時間に前記識別された位置で前記組織に接触するように設定するステップと、
前記軌道に沿って前記識別された位置で前記組織に接触するように前記ロボットツールまたは前記ロボットツールに取り付けられた医療治療装置を展開するステップと、
を有する、方法。
【請求項１０】
前記組織の前記連続運動を監視するために前記組織を含む一連の画像を取得するステップと、
前記一連の画像に基づいて監視すべき前記組織を決定するステップと、
前記監視すべき組織を確認または再調整するために表示として前記軌道をシミュレートするステップと、
をさらに有する、請求項９記載の方法。
【請求項１１】
前記ロボットツールを展開前位置にガイドし、次いで、前記展開前位置から前記推定された時間に前記識別された位置で前記組織に接触するように前記ロボットツールを前記軌道に沿って移動させるステップ、
をさらに有する、請求項９記載の方法。
【請求項１２】
所定の既知の運動モデルのセットの１つの既知の運動モデルと前記連続運動をマッチングするステップと、
複数の実現可能な位置から、前記ロボットツールまたは前記ロボットツールに取り付けられた前記医療治療装置が前記組織に接触する前記識別された位置を識別するステップと、
をさらに有する、請求項９記載の方法。
【請求項１３】
遠隔操作された展開において、オペレータからの入力に基づいて前記ロボットツールを前記組織に向かって移動させ、前記組織の前記連続運動の前記監視に基づいて前記ロボットツールの運動を自動的に制約するステップ、または
自律的な展開において、監視する前記組織を決定することに基づいて前記ロボットツールを前記組織に向かって移動させ、タイミングおよび軌道を最適化することによって前記ロボットツールの展開を自律的に実行するステップ、
をさらに有する、請求項９記載の方法。
【請求項１４】
前記ロボットツールまたは前記ロボットツールに取り付けられた前記医療治療装置が前記組織に接触する前記識別された位置を識別するために使用する特性を、最適な位置のための可能な特性のセットから識別するステップ、
をさらに有する、請求項９記載の方法。
【請求項１５】
前記組織の前記識別された位置は、レンジセンシング、圧力センシング、力センシング、電気センシング、光学センシング、またはイメージングのうちの少なくとも１つから識別される、請求項９に記載の方法。
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
内視鏡システムであって、
内部に中空管が形成された内視鏡であって、ここで、前記内視鏡は、ドッキングステーションに結合可能な第１の端部と第２の遠位端とを有する、内視鏡、
前記中空管を貫通して挿入するための可撓性の細長い部材であって、ここで、前記可撓性の細長い部材は、動作制御のための第１の端部と、前記内視鏡の遠位端でのロボット部材の動作のための第２の遠位端とを有する、可撓性の細長い部材、
その前記第１の端部で前記可撓性の細長い部材に結合可能な１つ以上のアクチュエータであって、動作中に前記可撓性の細長い部材の前記第２の遠位端の微動を可能にするために、前記中空管の中心軸に平行な方向に並進移動可能な前記１つ以上のアクチュエータ、及び
前記内視鏡の前記第１の端部の前記中空管に対して配置された座屈防止チューブであって、前記可撓性の細長い部材は、前記１つ以上のアクチュエータの並進中の前記可撓性の細長い部材の座屈を防ぐために、前記１つ以上のアクチュエータの下流の前記座屈防止チューブを貫通して挿入される、座屈防止チューブ、
を含む内視鏡システム。
【請求項２】
請求項１に記載の内視鏡システムであって、前記座屈防止チューブは、前記１つ以上のアクチュエータと前記内視鏡の前記第１の端部との間に位置する、内視鏡システム。
【請求項３】
前記座屈防止チューブを前記１つ以上のアクチュエータに結合する１つ以上の支持体をさらに含む、請求項１に記載の内視鏡システム。
【請求項４】
前記アクチュエータは、モーターハウジング内に収容され、前記１つ以上の支持体は、前記座屈防止チューブを前記モーターハウジングに結合する、請求項３に記載の内視鏡システム。
【請求項５】
前記１つ以上の支持体が、前記座屈防止チューブを前記モーターハウジングに結合するための磁気手段又は機械的手段を含む、請求項４に記載の内視鏡システム。
【請求項６】
請求項４に記載の内視鏡システムであって、前記モーターハウジングが、静止部分と、前記中空管の中心軸に平行な方向に前記１つ以上のアクチュエータを並進させる並進移動可能な部分とを含み、且つここで、少なくとも前記１つ以上の支持体の第１の部分が、前記座屈防止チューブを前記モーターハウジングの前記静止部分に結合する、内視鏡システム。
【請求項７】
請求項６に記載の内視鏡システムであって、前記座屈防止チューブは、伸縮式構造配置で配置された２つ以上のチューブを含み、その結果、前記２つ以上のチューブの第１のチューブは、前記２つ以上のチューブの第２のチューブよりも大きな直径を有する、及びここで、前記１つ以上の支持体の前記第１の部分は、前記座屈防止チューブの前記２つ以上のチューブの前記第１のチューブを前記モーターハウジングの前記静止部分に結合し、且つ前記１つ以上の支持体の第２の部分は、前記座屈防止チューブの前記２つ以上のチューブの前記第２のチューブを、前記モーターハウジングの前記並進移動可能な部分に結合する、内視鏡システム。
【請求項８】
請求項６に記載の内視鏡システムであって、前記座屈防止チューブは、伸縮式構造配置で配置された２つ以上のチューブを含み、その結果、前記２つ以上のチューブの第１のチューブは、前記２つ以上のチューブの第２のチューブよりも直径が小さい、及びここで、前記１つ以上の支持体の前記第１の部分は、前記座屈防止チューブの前記２つ以上のチューブの前記第１のチューブを前記モーターハウジングの前記静止部分に結合し、且つ前記１つ以上の支持体の第２の部分は、前記モーターハウジングの前記並進移動可能な部分に前記座屈防止チューブの前記２つ以上のチューブの前記第２のチューブを結合する、内視鏡システム。
【請求項９】
請求項１に記載の内視鏡システムであって、前記座屈防止チューブは、一端又は両端がフレア状である、内視鏡システム。
【請求項１０】
少なくとも前記座屈防止チューブの一部分が剛性構造を有する、請求項１に記載の内視鏡システム。
【請求項１１】
剛性構造を有する前記少なくとも座屈防止チューブの一部分が、前記１つ以上のアクチュエータに結合する前記可撓性の細長い部材の前記第１の端部に隣接している、請求項１０に記載の内視鏡システム。
【請求項１２】
請求項１に記載の内視鏡システムであって、前記座屈防止チューブは、耐食性の金属又はポリマーから構成される、内視鏡システム。
【請求項１３】
前記１つ以上の支持体が、前記座屈防止チューブを前記１つ以上のアクチュエータに取り外し可能に結合する、請求項３に記載の内視鏡システム。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
解剖学的構造内でのインターベンションツールの送達のための多段ロボットであって、
前記多段ロボットは、可撓性ロボットアーム、ロボットプラットフォーム、スネークロボットアーム及びエンドエフェクタの連続的な直列配列を含み、
前記可撓性ロボットアーム、前記ロボットプラットフォーム、前記スネークロボットアーム及び前記エンドエフェクタは、前記解剖学的構造を囲む解剖学的領域の切開部又は解剖学的開口部を通して導入され、
前記スネークロボットアーム及び前記エンドエフェクタは更に、前記解剖学的構造の切開部又は解剖学的開口部を通して導入され、
前記ロボットプラットフォームは、前記解剖学的構造の前記切開部又は前記解剖学的開口部に取り付け可能であり、
前記スネークロボットアームは、前記解剖学的構造内で前記エンドエフェクタを目標位置決めするために、前記ロボットプラットフォームに対して作動可能である、多段ロボット。
【請求項２】
前記ロボットプラットフォームの近位端が、前記可撓性ロボットアームの遠位端に隣接し、
前記ロボットプラットフォームの遠位端が、前記スネークロボットアームの近位端に隣接する、請求項１に記載の多段ロボット。
【請求項３】
前記可撓性ロボットアームの遠位端が、前記ロボットプラットフォームを通って延在する、請求項１に記載の多段ロボット。
【請求項４】
前記スネークロボットアームの近位端が、前記ロボットプラットフォームを通って延在する、請求項１に記載の多段ロボット。
【請求項５】
前記可撓性ロボットアームの近位端及び前記スネークロボットアームの遠位端が、前記ロボットプラットフォーム内へと延在する、請求項１に記載の多段ロボット。
【請求項６】
前記可撓性ロボットアーム、前記ロボットプラットフォーム、前記スネークロボットアーム及び前記エンドエフェクタの前記連続的な直列配列は、前記可撓性ロボットアームから、前記ロボットプラットフォームを通り前記スネークロボットアームまで延在するチャネルを画定する、請求項１に記載の多段ロボット。
【請求項７】
前記可撓性ロボットアーム、前記ロボットプラットフォーム、前記スネークロボットアーム及び前記エンドエフェクタの前記連続的な直列配列は、前記可撓性ロボットアームから、前記ロボットプラットフォーム及び前記スネークロボットアームを通り前記エンドエフェクタまで延在するチャネルを画定する、請求項１に記載の多段ロボット。
【請求項８】
前記可撓性ロボットアームは、前記可撓性ロボットアームの形状を感知する少なくとも１つの形状センサを含む、請求項１に記載の多段ロボット。
【請求項９】
前記ロボットプラットフォームは、前記ロボットプラットフォームの動きを感知する少なくとも１つの動き追跡センサを含む、請求項１に記載の多段ロボット。
【請求項１０】
前記エンドエフェクタは、前記解剖学的構造の内部を撮像する少なくとも１つの超音波撮像デバイスを含む、請求項１に記載の多段ロボット。
【請求項１１】
前記連続的な直列配列は、ロボットベース、前記可撓性ロボットアーム、前記ロボットプラットフォーム、前記スネークロボットアーム及び前記エンドエフェクタを含む、請求項１に記載の多段ロボット。
【請求項１２】
前記ロボットベースは、前記解剖学的領域の前記切開部又は前記解剖学的開口部に取り付け可能である、請求項１１に記載の多段ロボット。
【請求項１３】
前記ロボットベースは、インターベンション空間内での前記ロボットベースの位置を特定するための少なくとも１つのマーカーを含む、請求項１１に記載の多段ロボット。
【請求項１４】
前記ロボットベース、前記可撓性ロボットアーム、前記ロボットプラットフォーム、前記スネークロボットアーム及び前記エンドエフェクタの前記連続的な直列配列は、前記ロボットベースから、前記可撓性ロボットアーム及び前記ロボットプラットフォームを通り前記スネークロボットアームまで延在するチャネルを画定する、請求項１１に記載の多段ロボット。
【請求項１５】
前記可撓性ロボットアーム、前記ロボットプラットフォーム、前記スネークロボットアーム及び前記エンドエフェクタの前記連続的な直列配列は、前記ロボットベースから、前記可撓性ロボットアーム、前記ロボットプラットフォーム及び前記スネークロボットアームを通り前記エンドエフェクタまで延在するチャネルを画定する、請求項１１に記載の多段ロボット。
【請求項１６】
ロボットベース、可撓性ロボットアーム、ロボットプラットフォーム、スネークロボットアーム及びエンドエフェクタの連続的な直列配列を含む多段ロボットの操作による解剖学的構造内でのインターベンションツールの送達のためのインターベンション方法であって、
前記解剖学的構造を囲む解剖学的領域の切開部又は解剖学的開口部を通して前記可撓性ロボットアーム、前記ロボットプラットフォーム、前記スネークロボットアーム及び前記エンドエフェクタを導入するステップと、
前記解剖学的構造の切開部又は解剖学的開口部を通して前記スネークロボットアーム及び前記エンドエフェクタを導入するステップと、
前記解剖学的構造の前記切開部又は前記解剖学的開口部に前記ロボットプラットフォームを取り付けるステップと、
前記解剖学的構造内で前記エンドエフェクタを目標位置決めするために、前記ロボットプラットフォームに対して前記解剖学的構造内の前記スネークロボットアームを作動させるステップと、
を含む、インターベンション方法。
【請求項１７】
前記ロボットベースの撮像モダリティに対する位置合わせ、
前記可撓性ロボットアームの感知された形状、及び、
前記ロボットプラットフォームに対する作動されたスネークロボットアームのポーズ、
のうちの少なくとも１つに基づいて、インターベンションコントローラが、前記ロボットプラットフォームに対する前記解剖学的構造内での前記エンドエフェクタの位置を決定するステップを更に含む、
請求項１６に記載のインターベンション方法。
【請求項１８】
前記インターベンションコントローラは更に、
前記ロボットプラットフォームによって感知される前記解剖学的構造の生理学的な動き、及び、
前記エンドエフェクタによって生成される前記解剖学的構造の内部の超音波画像、
のうちの少なくとも１つに基づいて、前記解剖学的構造内での前記エンドエフェクタの位置を決定する、請求項１７に記載のインターベンション方法。
【請求項１９】
前記ロボットベースを前記解剖学的領域の前記切開部又は前記解剖学的開口部に取り付けるステップを更に含む、請求項１６に記載のインターベンション方法。
【請求項２０】
前記インターベンションツールを、前記多段ロボットを通して前記解剖学的構造に導入するステップを更に含む、請求項１６に記載のインターベンション方法。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
時計やジュエリのための外付け部品（２）であって、ピエゾクロミック分子（１、４）が分散されたポリマー・マトリックスによって作られ、ピエゾクロミック分子は、第１の安定状態から第２の安定状態に変化し、一方、印加される圧力の影響下で色を変化させる、外付け部品。
【請求項２】
前記ピエゾクロミック分子は、前記外付け部品への５０Ｎ．ｃｍ-2以上の印加される圧力の影響下で状態を変化させることを特徴とする、請求項１に記載の外付け部品。
【請求項３】
前記ピエゾクロミック分子は、所望の色変化効果に応じて、２重量％から２０重量％の範囲に存在する割合で前記マトリックス内に分散されることを特徴とする、請求項１又は２に記載の外付け部品。
【請求項４】
前記ピエゾクロミック分子は、スピン遷移効果ナノ材料であることを特徴とする、請求項１〜３のいずれか一項に記載の外付け部品。
【請求項５】
前記ピエゾクロミック分子は、圧力の影響下で不可逆的に色を変化させるように配置されるスピン遷移効果ナノ材料であることを特徴とする、請求項４に記載の外付け部品。
【請求項６】
前記ピエゾクロミック分子は、ヒステリシスによって逆にされ得るように圧力の影響下で色を変化させるように配置されるスピン遷移効果ナノ材料であることを特徴とする、請求項４に記載の外付け部品。
【請求項７】
前記ピエゾクロミック分子は、熱を印加することによって、その前記第１の初期の安定状態に復帰することを特徴とする、請求項６に記載の外付け部品。
【請求項８】
前記マトリックスは、有機又は無機ポリマー樹脂によって形成されることを特徴とする、請求項１〜７のいずれか一項に記載の外付け部品。
【請求項９】
前記マトリックスは、エラストマー樹脂によって形成され、その硬度は、ショアＡ硬度５０からショアＤ硬度９０の範囲に存在することを特徴とする、請求項８に記載の外付け部品。
【請求項１０】
前記マトリックスは、熱可塑性エラストマー樹脂によって形成されることを特徴とする、請求項８又は９に記載の外付け部品。
【請求項１１】
前記熱可塑性エラストマー樹脂は、熱可塑性ポリウレタン、熱可塑性スチレン系エラストマー、熱可塑性コポリエステル、及び、熱可塑性コポリアミドから構成される群から選択されることを特徴とする、請求項１０に記載の外付け部品。
【請求項１２】
前記マトリックスは、フッ素化エチレンプロピレンゴム及びシリコーン、アクリルニトリルブタジエンポリマーゴム、水素化ニトリルゴム及びフルオロカーボンゴムから構成される群から選択される加硫可能なエラストマーによって形成されることを特徴とする、請求項８又は９に記載の外付け部品。
【請求項１３】
前記ポリマー・マトリックスは、少なくとも１つの着色添加剤と事前混合されて、前記マトリックスの前記初期色が前記ピエゾクロミック効果によって生成された前記色と組み合わされるのを可能にすることを特徴とする、請求項１〜１２のいずれか一項に記載の外付け部品。
【請求項１４】
前記着色添加剤は、半透明、蛍光及び／又はリン光染料並びにメタリック又はパール効果顔料から構成される群から選択されることを特徴とする、請求項１３に記載の外付け部品。
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
血栓摘出装置であって、
近位端および遠位端を含む吸引カテーテルと、
前記吸引カテーテルを通って延在し、前記遠位端で出るように構成され、近位領域、遠位領域、および前記近位領域と前記遠位領域との間に延在する第１の管腔を含む回収装置と、
前記回収装置の遠位領域にわたって延在する少なくとも１つの編組アセンブリであって、少なくとも１つのスライド可能カラーと、前記スライド可能カラーに直接的に取り付けられた編組であって、前記編組を前記回収装置に固定すると共に、前記スライド可能カラーから固定取り付け点に延び、且つ前記スライド可能カラーと前記固定取り付け点との間の全長にわたって前記編組アセンブリの最も外側の表面を画定する編組とを有する、少なくとも１つの編組アセンブリと、
前記回収装置の前記第１の管腔を通り、かつ前記遠位領域に配置された出口点を通って延びる少なくとも１つの作動ワイヤであって、前記作動ワイヤの遠位端は、前記スライド可能カラーに固定されて取り付けられる、少なくとも１つの作動ワイヤと、を備え、
前記編組は、折り畳まれた構成の形状記憶を有し、
前記編組アセンブリは、前記作動ワイヤ上の張力のレベルを変化させることによって、ある範囲の拡張さ外径に拡張され得る、血栓摘出装置。
【請求項２】
前記出口点は、前記回収装置の側壁における入口である、請求項１に記載の血栓摘出装置。
【請求項３】
前記入口は、前記編組の下に配置される、請求項２に記載の血栓摘出装置。
【請求項４】
前記回収装置は、近位皮下注射管と、前記近位皮下注射管よりも可撓性が大きい遠位支持管とを有し、
前記編組アセンブリの全長は前記遠位支持管の上に配置される、請求項１〜３のいずれか一項に記載の血栓摘出装置。
【請求項５】
前記回収装置は、近位皮下注射管と、前記近位皮下注射管よりも可撓性が大きい遠位支持管とを有し、
前記出口点は、前記遠位支持管の長手方向に延在する側壁に画定される、請求項１に記載の血栓摘出装置。
【請求項６】
前記遠位支持管は、前記近位皮下注射管の遠位端に取り付けられている、請求項４または５に記載の血栓摘出装置。
【請求項７】
ガイドワイヤ管をさらに備え、前記ガイドワイヤ管は第１の管腔および第２の管腔を含み、前記回収装置は前記第１の管腔を通って延在し、前記第２の管腔はガイドワイヤ上に延在するように構成されている、請求項１〜６のいずれか一項に記載の血栓摘出装置。
【請求項８】
前記ガイドワイヤ管は、長手方向において、前記回収装置よりも短い、請求項７に記載の血栓摘出装置。
【請求項９】
前記固定取り付け点は、前記ガイドワイヤ管に配置される、請求項７または８に記載の血栓摘出装置。
【請求項１０】
前記編組は、拡張構成において楕円形または紡錘形を有する、請求項１〜９のいずれか一項に記載の血栓摘出装置。
【請求項１１】
少なくとも１つの追加の編組アセンブリと少なくとも１つの追加の作動ワイヤとをさらに備え、各々の追加の作動ワイヤは、追加の編組アセンブリの追加のスライド可能カラーに取り付けられている、請求項１〜１０のいずれか一項に記載の血栓摘出装置。
【請求項１２】
各々の編組アセンブリは、取り付けられた作動ワイヤを介して別々に拡張可能である、請求項１１に記載の血栓摘出装置。
【請求項１３】
近位張力要素をさらに備え、前記作動ワイヤの近位端が前記近位張力要素に取り付けられている、請求項１〜１２のいずれか一項に記載の血栓摘出装置。
【請求項１４】
近位ハンドルをさらに備え、前記近位張力要素が前記近位ハンドルに取り付けられている、請求項１３に記載の血栓摘出装置。
【請求項１５】
前記編組アセンブリは、前記作動ワイヤに第１のレベルの張力をかけることによって第１の拡張外径に展開可能であり、前記編組アセンブリは、前記作動ワイヤに第２のレベルの張力をかけることによって第２の拡張外径に展開可能である、請求項１〜１４のいずれか一項に記載の血栓摘出装置。
【請求項１６】
前記第１のレベルの張力は、前記第２のレベルの張力よりも小さく、したがって、前記第１の拡張外径は、部分的に拡張された構成における前記編組の最大直径であり、前記第２の拡張外径は、完全に拡張した構成における前記編組の最大直径である、請求項１５に記載の血栓摘出装置。
【請求項１７】
前記編組が２層である、請求項１〜１６のいずれか一項に記載の血栓摘出装置。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
改変された免疫細胞であって、前記改変された免疫細胞が、
（ａ）キメラ刺激分子またはスイッチ分子であって、そのリガンドへの結合時に改変されていない免疫細胞中で免疫細胞不活性化シグナルを誘発するタンパク質の細胞外ドメイン（ＥＣＤ）を含み、前記ＥＣＤが、免疫細胞活性化シグナルを媒介する共刺激分子の細胞内ドメイン（ＩＣＤ）に融合しているキメラ刺激分子またはスイッチ分子、および／または
（ｂ）（ｉ）Ｂ細胞表面タンパク質に結合する能力のある抗原相互作用ドメイン；（ii）膜貫通ドメイン；および（iii）細胞内シグナリングドメインを含む、キメラ抗原レセプター
を含み、
前記キメラ刺激分子またはスイッチ分子のリガンドへの結合が、前記改変された免疫細胞中で前記免疫細胞不活性化シグナルの代わりに免疫細胞活性化シグナルをもたらし、
前記免疫細胞が、ネオアンチゲン反応性Ｔ細胞、腫瘍浸潤リンパ球（ＴＩＬ）、または、ＰＤ−１、ＣＤ１３７およびＴＩＭ−３のうちの少なくとも一つを発現しているＴ細胞である
改変された免疫細胞。
【請求項２】
前記免疫細胞が、前記ネオアンチゲンに対して特異的な結合を示すＴ細胞レセプター（ＴＣＲ）複合体を含むネオアンチゲン反応性Ｔ細胞である請求項１記載の改変された免疫細胞。
【請求項３】
前記ＴＣＲ複合体が、内在性ＴＣＲ複合体または外因性ＴＣＲ複合体である請求項２記載の改変されたＴ細胞。
【請求項４】
前記免疫細胞が、末梢血単核球から得られる請求項１記載の改変された免疫細胞。
【請求項５】
前記免疫細胞が、ＰＤ−１を発現している請求項１〜４のいずれか１項に記載の改変された免疫細胞。
【請求項６】
前記免疫細胞が、ＰＤ−１、ＣＤ１３７およびＴＩＭ−３を発現しているトリプルポジティブＴ細胞である請求項１〜４のいずれか１項に記載の改変された免疫細胞。
【請求項７】
前記ネオアンチゲンが、変異遺伝子によってエンコードされたタンパク質のペプチドフラグメントを含み、ここで、前記遺伝子が、ＡＢＬ１、ＡＣＯｌ  １９９７、ＡＣＶＲ２Ａ、ＡＦＰ、ＡＫＴ１、ＡＬＫ、ＡＬＰＰＬ２、ＡＮＡＰＣ１、ＡＰＣ、ＡＲＩＤ１Ａ、ＡＲ、ＡＲ−ｖ７、ＡＳＣＬ２、β２Ｍ、ＢＲＡＦ、ＢＴＫ、Ｃ１５ＯＲＦ４０、ＣＤＨ１、ＣＬＤＮ６、ＣＮＯＴ１、ＣＴ４５Ａ５、ＣＴＡＧ１Ｂ、ＤＣＴ、ＤＫＫ４、ＥＥＦ１Ｂ２、ＥＥＦ１ＤＰ３、ＥＧＦＲ、ＥＩＦ２Ｂ３、ｅｎｖ、ＥＰＨＢ２、ＥＲＢＢ３、ＥＳＲ１、ＥＳＲＰ１、ＦＡＭ１１  ＩＢ、ＦＧＦＲ３、ＦＲＧ１Ｂ、ＧＡＧＥ１、ＧＡＧＥ  １０、ＧＡＴＡ３、ＧＢＰ３、ＨＥＲ２、ＩＤＨ１、ＪＡＫ１、ＫＩＴ、ＫＲＡＳ、ＬＭＡＮ１、ＭＡＢＥＢ  １６、ＭＡＧＥＡ１、ＭＡＧＥＡ１０、ＭＡＧＥＡ４、ＭＡＧＥＡ８、ＭＡＧＥＢ  １７、ＭＡＧＥＢ４、ＭＡＧＥＣ１、ＭＥＫ、ＭＬＡＮＡ、ＭＬＬ２、ＭＭＰ１３、ＭＳＨ３、ＭＳＨ６、ＭＹＣ、ＮＤＵＦＣ２、ＮＲＡＳ、ＰＡＧＥ２、ＰＡＧＥ５、ＰＤＧＦＲａ、ＰＩＫ３ＣＡ、ＰＭＥＬ、ｐｏｌタンパク質、ＰＯＬＥ、ＰＴＥＮ、ＲＡＣ１、ＲＢＭ２７、ＲＮＦ４３、ＲＰＬ２２、ＲＵＮＸ１、ＳＥＣ３１Ａ、ＳＥＣ６３、ＳＦ３Ｂ  １、ＳＬＣ３５Ｆ５、ＳＬＣ４５Ａ２、ＳＭＡＰ１、ＳＭＡＰ１、ＳＰＯＰ、ＴＦＡＭ、ＴＧＦＢＲ２、ＴＨＡＰ５、ＴＰ５３、ＴＴＫ、ＴＹＲ、ＵＢＲ５、ＶＨＬ、およびＸＰＯＴから選択される請求項２記載の改変された免疫細胞。
【請求項８】
前記ネオアンチゲンが、個体からの腫瘍サンプルの体細胞突然変異プロファイルをもとに選択される請求項１〜６のいずれか１項に記載の改変されたＴＩＬまたは改変されたＴ細胞。
【請求項９】
そのリガンドへの結合時に、改変されていない免疫細胞において免疫細胞不活性化シグナルを誘発する前記タンパク質が、チェックポイントレセプター、サイトカインレセプター、ケモカインレセプター、成長因子レセプター、またはホルモンレセプターであり、および／または
そのリガンドへの結合時に、改変されていない免疫細胞において免疫細胞不活性化シグナルを誘発する前記タンパク質が、トランスフォーミング増殖因子−βレセプター（ＴＧＦ−β−Ｒ）、プログラム細胞死１（ＰＤ−１）、細胞傷害性Ｔリンパ球タンパク質４（ＣＴＬＡ−４）、ＢおよびＴリンパ球アテニュエータ（ＢＴＬＡ）、キラー細胞免疫グロブリン様受容体（ＫＩＲ）、インドールアミン−２，３−ジオキシゲナーゼ（ＩＤＯ）、リンパ球活性化遺伝子−３（ＬＡＧ３）、Ｔ細胞免疫グロブリンムチン−３（ＴＩＭ−３）およびＴＩＧＩＴからなる群より選択される請求項１記載の改変された免疫細胞。
【請求項１０】
前記共刺激分子が、インターロイキン−２レセプター（ＩＬ−２Ｒ）、インターロイキン−１２レセプター（ＩＬ−１２Ｒ）、ＣＤ２、ＣＤ３、ＣＤ４、ＣＤ７、ＣＤ８、ＣＤ２７、ＣＤ２８、ＣＤ３０、ＣＤ４０、４−１ＢＢ／ＣＤ１３７、ＩＣＯＳ、リンパ球機能関連抗原−１（ＬＦＡ−１）、ＬＩＧＨＴ、ＮＫＧ２Ｃ、またはＯＸ４０である請求項１記載の改変された免疫細胞。
【請求項１１】
前記Ｂ細胞表面タンパク質が、ＣＤ１９、ＣＤ２０およびＣＤ２２から選択される請求項１記載の改変された免疫細胞。
【請求項１２】
前記Ｂ細胞表面タンパク質に結合する能力のある抗原相互作用ドメインが、配列番号：１で示されるアミノ酸配列を含む請求項１記載の改変された免疫細胞。
【請求項１３】
前記スイッチ分子が、配列番号：２、配列番号：３または配列番号：４で示されるアミノ酸配列を含む請求項１記載の改変された免疫細胞。
【請求項１４】
被験体に、請求項１〜１３のいずれか１項に記載の改変された免疫細胞を投与することを含む被験体のがんを処置する方法。
【請求項１５】
がんである標的細胞に対して前記改変された免疫細胞の細胞毒性を誘導する条件下で、腫瘍抗原を発現している前記がんである標的細胞を、前記改変された免疫細胞に接触させ、それによって前記がんである標的細胞の死を誘導することをさらに含む請求項１４記載の方法。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
飲料調製マシン（１）によって製品を製造するための方法であって、
飲料調製マシン（１）のためのマシンバックエンド（２）が、調製規定（１４）の識別のための識別子（４４）と構成識別子とを含むバックエンド命令（３２）を受信するステップと、
前記識別子（４４）が個別識別子（２４）と同じ場合、前記構成識別子に従って判断される複数のユーザプロファイル（２６）のうちの１つのユーザプロファイル（２６）において前記個別識別子（２４）に割当てられる調製規定（１４）を判断することによって、調製規定（１４）を判断するステップと、
前記マシンバックエンド（２）が、前記調製規定（１４）を特定する、前記飲料調製マシン（１）に対するマシン命令（２２）を生成するステップと、
前記飲料調製マシン（１）が、前記調製規定（１４）に従って前記製品を製造するステップとを備える、方法。
【請求項２】
前記調製規定（１４）を判断するステップは、前記識別子（４４）が共通識別子（３４）と同じ場合、これに割当てられる調製規定（１４）を判断するステップを含み、前記割当てはユーザプロファイル（２６）に依存していない、請求項１に記載の方法。
【請求項３】
前記個別識別子（２４）に調製規定（１４）が割当てられていない場合、前記マシンバックエンド（２）は、音声インターフェース（４）による音声認識バックエンド（３）にバックエンドフィードバック（２３）を転送する、請求項１または２に記載の方法。
【請求項４】
調製規定（１４）が個別識別子（２４）に直接割当てられ、個別識別子（２４）および割当てられた調製規定（１４）は、前記マシンバックエンド（２）に格納される、請求項１〜３のいずれか１項に記載の方法。
【請求項５】
複数のユーザプロファイル（２６）が前記マシンバックエンド（２）に格納され、各ユーザプロファイル（２６）は、前記個別識別子（２４）のユーザに固有のリスト、およびユーザに固有の調製規定（１４）への前記個別識別子（２４）の割当てを含む、請求項４に記載の方法。
【請求項６】
前記マシン命令（２２）は、前記調製規定（１４）を含む前記マシン命令（２２）によって、前記個別識別子（２４）または前記共通識別子（３４）に従って前記調製規定（１４）を特定する、請求項１〜５のいずれか１項に記載の方法。
【請求項７】
前記マシン命令（２２）は、前記個別識別子（２４）または前記共通識別子（３４）を含む前記マシン命令（２２）によって、前記個別識別子（２４）または前記共通識別子に従って前記調製規定（１４）を特定する、請求項１〜５のいずれか１項に記載の方法。
【請求項８】
調製規定（１４）が割当て規定（２５）および個人識別子（２７）を介して個別識別子（２４）に間接的に割当てられ、前記割当て規定（２５）は、構成識別子に対する前記割当て規定（２５）の割当てを含む構成情報に基づいて、特に、
マシン識別子（１１）に対する前記割当て規定（２５）の割当て、
インターフェース識別子（４１）に対する前記割当て規定（２５）の割当て、
ユーザ識別子（２１）に対する前記割当て規定（２５）の割当て、
の情報のうち１つまたは複数として判断される、請求項１〜３のいずれか１項に記載の方法。
【請求項９】
音声インターフェース（４）および音声認識バックエンド（３）が、音声入力を取得し、前記音声入力に従って、前記飲料調製マシン（１）のための前記マシンバックエンド（２）に対する前記バックエンド命令（３２）を生成するステップを備え、前記バックエンド命令（３２）は、調製規定（１４）の識別のための前記識別子（４４）を含む、請求項１〜８のいずれか１項に記載の方法。
【請求項１０】
前記マシン命令（２２）の前記飲料調製マシン（１）への転送は、その前記飲料調製マシン（１）への転送を作動させるマシン命令（２２）が存在するとして、前記飲料調製マシン（１）が、マシン命令（２２）があるかどうかを前記マシンバックエンド（２）において問合わせることによるプル方法によって行われる、請求項１〜９のいずれか１項に記載の方法。
【請求項１１】
前記飲料調製マシン（１）が、前記マシンバックエンド（２）に対するマシンフィードバック（１３）を生成するステップと、
前記マシンバックエンド（２）が、前記音声インターフェース（４）に対応するバックエンドフィードバック（２３）を生成するステップと、
前記音声インターフェース（４）が、前記バックエンドフィードバック（２３）に従って音声メッセージを出力するステップとをさらに備える、請求項１〜１０のいずれか１項に記載の方法。
【請求項１２】
システムであって、飲料調製マシン（１）とマシンバックエンド（２）とを備え、前記システムは、請求項１〜１１のいずれか１項に記載の方法を実行するために構成されている、システム。
【請求項１３】
飲料調製マシン（１）のためのマシンバックエンド（２）であって、
調製規定（１４）の識別のための識別子（４４）と構成識別子とを含むバックエンド命令（３２）を受信するステップと、
前記識別子（４４）が個別識別子（２４）と同じ場合、前記構成識別子に従って判断されるユーザプロファイル（２６）において個別識別子（２４）に割当てられる調製規定（１４）を判断することによって、調製規定（１４）を判断するステップと、
前記調製規定（１４）を特定する、前記飲料調製マシン（１）に対するマシン命令（２２）を生成するステップとを行うために構成された、マシンバックエンド。
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
組織治療を視覚化するシステムであって、
１つ又は複数の展開可能なスタイレットと第１エネルギーセンサとを有する組織治療器具と、
超音波撮像面を発生させるように構成され、且つ第２エネルギーセンサを有する超音波撮像器具と、
患者の身体に近接して配置されるように構成され、且つ前記第１エネルギーセンサ及び前記第２エネルギーセンサと相互作用するエネルギー場を発生させるように構成されているエネルギー場発生器と、
前記組織治療器具の前記第１エネルギーセンサ、前記超音波撮像器具の前記第２エネルギーセンサ及び前記エネルギー場発生器と通信するコンソールと、
を備え、
前記コンソールが、前記エネルギー場内での前記第１及び第２エネルギーセンサの互いに対する位置および向きに基づき、前記超音波撮像面に関して向けられた前記組織治療器具の典型的な画像を生成するように構成され、
前記コンソールが、前記１つ又は複数のスタイレットの展開長に基づくサイズを有する、予期されたアブレーション境界又は予期された治療ゾーンの画像を生成するようにさらに構成されている、システム。
【請求項２】
前記組織治療器具が、１つ又は複数の展開可能なスタイレットと突き刺し遠位先端とを有する長尺状本体を備える、請求項１に記載のシステム。
【請求項３】
前記組織治療器具がアブレーション器具を含む、請求項２に記載のシステム。
【請求項４】
前記組織治療器具が、アブレーションエネルギー、クライオアブレーションエネルギー、プラズマエネルギー又は機械エネルギーを与えるように構成されている、請求項１に記載のシステム。
【請求項５】
前記エネルギー場発生器が電磁場発生器を含む、請求項１に記載のシステム。
【請求項６】
前記エネルギー場発生器が、高周波エネルギー、マイクロ波エネルギー、超音波エネルギー又は赤外線エネルギーを与えるように構成されている、請求項１に記載のシステム。
【請求項７】
前記超音波撮像器具が、前記第２エネルギーセンサを有する長尺状超音波プローブ及びスリーブを備える、請求項１に記載のシステム。
【請求項８】
前記エネルギー場発生器が、前記患者の身体の骨盤に近接して配置されるように構成されている、請求項１に記載のシステム。
【請求項９】
前記コンソールがコンピュータを含む、請求項１に記載のシステム。
【請求項１０】
前記コンソールが、前記１つ又は複数のスタイレットの展開中にリアルタイムに前記アブレーション境界又は治療ゾーンを判断するように構成されている、請求項１に記載のシステム。
【請求項１１】
前記第１エネルギーセンサが第１電磁エネルギーセンサからなる、請求項１に記載のシステム。
【請求項１２】
前記コンソールが、前記第１および第２エネルギーセンサの互いに対する前記位置及び前記向きを計算するように構成されている、請求項１に記載のシステム。
【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
配列番号１〜４もしくは７〜１４の重鎖免疫グロブリン可変ドメイン配列または１つ以上の保存的アミノ酸置換を有するそのバリアント、および、配列番号４１、４２もしくは４５〜４８の軽鎖免疫グロブリン可変ドメイン配列または１つ以上の保存的アミノ酸置換を有するそのバリアント、を含む抗体。
【請求項２】
アミノ酸配列ＫＶＡＶＶＲＴＰＰＫＳＰＳ（配列番号５６）を含むリン酸化トレオニン２３１−タウタンパク質のエピトープと結合する、請求項１に記載の抗体。
【請求項３】
リン酸化トレオニン２３１−タウタンパク質のシス−コンホメーションと特異的に結合する、請求項１または２に記載の抗体。
【請求項４】
ヒト化抗体である、請求項１〜３のいずれか１項に記載の抗体。
【請求項５】
Ｆａｂ、Ｆ（ａｂ’）2、Ｆａｂ’、ｓｃＦvおよびＦvからなる群から選択される、請求項１〜４のいずれか１項に記載の抗体の抗原結合断片。
【請求項６】
ＩｇＡ１、ＩｇＡ２、ＩｇＤ、ＩｇＥ、ＩｇＧ１、ＩｇＧ２、ＩｇＧ３、ＩｇＧ４およびＩｇＭからなる群から選択されるアイソタイプを有する、請求項１〜４のいずれか１項に記載の抗体。
【請求項７】
請求項１または２に記載の抗体をコードする組換え核酸配列。
【請求項８】
請求項７に記載の組換え核酸配列を含む宿主細胞またはベクター。
【請求項９】
請求項１または２に記載の抗体および医薬上許容される担体を含む組成物。
【請求項１０】
それを必要とする対象におけるシス−ｐＴ２３１−タウタンパク質発現の上昇を伴う神経疾患を処置するための組成物であって、配列番号１〜４もしくは７〜１４の重鎖免疫グロブリン可変ドメイン配列または１つ以上の保存的アミノ酸置換を有するそのバリアントを含み、シス−ｐＴ２３１−タウタンパク質と特異的に結合して中和する抗体を含む組成物。
【請求項１１】
抗体が、配列番号４１、４２もしくは４５〜４８の軽鎖免疫グロブリン可変ドメイン配列または１つ以上の保存的アミノ酸置換を有するそのバリアントをさらに含む、請求項１０に記載の組成物。
【請求項１２】
神経疾患が、タウオパチー、外傷性脳損傷（ＴＢＩ）または卒中である、請求項１０または１１に記載の組成物。
【請求項１３】
前記タウオパチーが、進行性核上性麻痺（ＰＳＰ）、慢性外傷性脳症（ＣＴＥ）、前頭側頭型認知症（ＦＴＤ）、前頭側頭葉変性症、リティコ−ボディグ病、タングル優位型認知症、髄膜血管腫症、亜急性硬化性全脳炎、ピック病、大脳皮質基底核変性症およびアルツハイマー病ＡＤ）からなる群から選択される、請求項１２に記載の組成物。
【請求項１４】
対象が、前記タウオパチーの初期段階である、請求項１３に記載の組成物。
【請求項１５】
前記タウオパチーの初期段階が、対象から得られたサンプルにおける、シスｐＴ２３１−タウのレベルの上昇またはシス：トランスｐＴ２３１−タウ比の増大によって決定される、請求項１４に記載の組成物。
【請求項１６】
対象から得られたサンプルにおいてＣＳＦ  ｔ−タウのレベル、ｐＴ１８１−タウ、Αβ４２またはＡｐｏＥ４レベルが測定される、請求項１５に記載の組成物。
【請求項１７】
前記サンプルが、尿、血液、血清、血漿、唾液、羊水および脳脊髄液（ＣＳＦ）からなる群から選択される、請求項１６に記載の組成物。
【請求項１８】
前記対象が、脳外傷の反復の病歴を有する、請求項１０または１１に記載の組成物。
【請求項１９】
抗体が、さらなる治療薬と別個に、逐次または同時に対象に投与される、請求項１０または１１に記載の組成物。
【請求項２０】
さらなる治療薬が、ドネペジル、リバスチグミン、ガランタミン、メマンチンおよび塩化リチウムのうち１種以上である、請求項１９に記載の組成物。
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
（ａ）候補抗原配列を含む刺激ペプチドで標的リンパ球をインビトロで刺激することと、
（ｂ）前記候補ペプチドに結合するＴ細胞受容体（ＴＣＲ）で免疫活性化リンパ球を捕捉することであって、前記捕捉することは、前記免疫活性化リンパ球を、前記候補抗原配列を含む捕捉用ペプチドに結合した主要組織適合遺伝子複合体（ＭＨＣ）を提示する捕捉用試薬と接触させることを含む、前記捕捉することと、
（ｃ）前記捕捉した免疫活性化リンパ球の前記ＴＣＲの全てまたは一部をシークエンスすることと、
を含む、方法。
【請求項２】
（ａ）前記標的リンパ球は健康ドナーから得られ、
（ｂ）前記標的リンパ球はＣＤ８＋細胞傷害性リンパ球であり、
（ｃ）前記捕捉用試薬はＭＨＣ多量体であり、任意選択で前記ＭＨＣ多量体はＭＨＣデキストラマーであり、及び／または、
（ｄ）前記シークエンスすることは次世代シークエンシング技術を含む、
請求項１に記載の方法。
【請求項３】
シークエンスした前記ＴＣＲの前記一部は、
（ａ）ＴＣＲ−α鎖及び／またはＴＣＲ−β鎖、
（ｂ）前記ＴＣＲ−α鎖及び／またはＴＣＲ−β鎖の１つまたは複数の相補性決定領域（ＣＤＲ）、及び／または、
（ｃ）前記ＴＣＲ−α鎖及び／またはＴＣＲ−β鎖のＣＤＲ３
を含む、請求項１または請求項２に記載の方法。
【請求項４】
前記標的リンパ球は標的リンパ球の集団であり、前記刺激ペプチドは、異なる候補抗原配列を含む刺激ペプチドの集団のうちの１つであり、
前記捕捉することは、免疫活性化リンパ球の前記集団を、前記候補抗原配列を含む捕捉用ペプチドの集団に結合した主要組織適合遺伝子複合体（ＭＨＣ）を提示する捕捉用試薬と接触させることを含む、
請求項１から請求項３のうちのいずれか１項に記載の方法。
【請求項５】
請求項１から請求項４のうちのいずれか１項に記載の方法により同定されるＴＣＲ認識がん特異的抗原。
【請求項６】
ＴＣＲ認識がん特異的抗原に結合する治療抗体であって、任意選択で、前記治療抗体は抗体フラグメントである、請求項５に記載の治療抗体。
【請求項７】
（ｄ）前記捕捉した免疫活性化リンパ球の前記ＴＣＲの全てまたは一部を提示する改変リンパ球を作製することであって、前記改変リンパ球は、前記候補抗原配列を含む前記ペプチドに結合したＭＨＣを提示する抗原提示細胞を認識する、前記作製すること、を更に含み、任意選択で前記改変リンパ球はＣＤ８＋細胞傷害性リンパ球である、請求項１から請求項４のうちのいずれか１項に記載の方法。
【請求項８】
前記捕捉した免疫活性化リンパ球の前記ＴＣＲの全てまたは一部を提示する改変リンパ球を作製することは、
（ｉ）前記捕捉した免疫活性化リンパ球の前記ＴＣＲの前記一部をコードする核酸配列をベクターにクローニングすることと、
（ｉｉ）前記ベクターを宿主リンパ球に導入することと、
（ｉｉｉ）前記捕捉した免疫活性化リンパ球の前記ＴＣＲの前記一部が前記改変リンパ球上に発現及び提示されるような条件下で、前記宿主リンパ球を培養することと、
を更に含む、請求項７に記載の方法。
【請求項９】
前記ベクターは、
（ａ）健康ドナー宿主、または
（ｂ）前記改変リンパ球で治療されるがん患者
に由来する宿主リンパ球に導入される、請求項８に記載の方法。
【請求項１０】
改変リンパ球であって、任意選択で、前記改変リンパ球はＣＤ８＋細胞傷害性リンパ球である、請求項７から請求項９のうちのいずれか１項に記載の方法により作製される改変リンパ球。
【請求項１１】
（ｄ）前記捕捉した免疫活性化リンパ球の前記ＴＣＲの前記配列の全てまたは一部を含む治療抗体を作製すること、
を更に含む、請求項１から請求項４のうちのいずれか１項に記載の方法。
【請求項１２】
前記ＴＣＲの前記一部は
（ａ）前記ＴＣＲ−α鎖及び／またはＴＣＲ−β鎖、
（ｂ）前記ＴＣＲ−α鎖及び／またはＴＣＲ−β鎖の１つまたは複数の相補性決定領域（ＣＤＲ）、
（ｃ）前記ＴＣＲ−α鎖及び／またはＴＣＲ−β鎖のＣＤＲ３、及び／または、
（ｄ）配列番号：４５〜１３２からなる群から選択されるアミノ酸配列を含み、任意選択で（ｉ）または（ｉｉ）のいずれかであり、前記（ｉ）または（ｉｉ）は：
（ｉ）前記改変リンパ球が配列番号４９及び５０、４７及び４８、５１及び５２、５３及び５４、５５及び５６、５７及び５８、５９及び６０、６１及び６２、６３及び６４、６５及び６６、６７及び６８、６９及び７０、７１及び７２、７３及び７４、７５及び７６、７７及び７８、７９及び８０、８１及び８２、８３及び８４、８５及び８６、８７及び８８、８９及び９０、９１及び９２、９３及び９４、９５及び９６、９７及び９８、９９及び１００、１０１及び１０２、１０３及び１０４、１０５及び１０６、１０７及び１０８、１０９及び１１０、１１１及び１１２、１１３及び１１４、１１５及び１１６、１１７及び１１８、１１９及び１２０、１２１及び１２２、１２３及び１２４、１２５及び１２６、１２７及び１２８、１２９及び１３０、及び、１３１及び１３２、からなる群から選択されるアミノ酸配列ペアを含むα鎖及びβ鎖を含むＴＣＲを提示する、または
（ｉｉ）前記治療抗体が配列番号４９及び５０、４５及び４６、４７及び４８、５１及び５２、５３及び５４、５５及び５６、５７及び５８、５９及び６０、６１及び６２、６３及び６４、６５及び６６、６７及び６８、６９及び７０、７１及び７２、７３及び７４、７５及び７６、７７及び７８、７９及び８０、８１及び８２、８３及び８４、８５及び８６、８７及び８８、８９及び９０、９１及び９２、９３及び９４、９５及び９６、９７及び９８、９９及び１００、１０１及び１０２、１０３及び１０４、１０５及び１０６、１０７及び１０８、１０９及び１１０、１１１及び１１２、１１３及び１１４、１１５及び１１６、１１７及び１１８、１１９及び１２０、１２１及び１２２、１２３及び１２４、１２５及び１２６、１２７及び１２８、１２９及び１３０、及び、１３１及び１３２、からなる群から選択されるアミノ酸配列ペアを含むＣＤＲ３を含む、
請求項８または請求項１１に記載の方法。
【請求項１３】
前記抗体は抗体フラグメントである、請求項１１に記載の方法。
【請求項１４】
請求項１１から請求項１３のうちのいずれか１項に記載の方法により作製される抗体。
【請求項１５】
がんの治療に使用するための、請求項１０に記載の改変リンパ球、または請求項１４に記載の抗体。